(57)【要約】  本発明は、遮断プレート（１０）とホールプレート本体（２０）とを含む干渉遮断可能なホールプレート（１００）を開示する。前記ホールプレート本体の第一面（２０１）には、モータ本体の磁石の位置を検出するための第１ホールセンサ（２１０）が設けられている。当該ホールプレート本体の第２面には、前記モータに対応する外部機器の磁石の位置を検出するための第２ホールセンサ（２２０）が設けられている。本発明の干渉遮断可能なホールプレートは、溶接にてホールプレート本体に設けることにより、モータ本体の磁石による第２ホールセンサへの影響およびモータに対応する外部機器の磁石による第１ホールセンサへの干渉を回避し、モータ本体の磁石位置検出に影響を与えずにモータを正常に稼動させる。【選択図】図１
2019505154.tif 000002
【特許請求の範囲】
【請求項１】
モータ本体の磁石の位置を検出するための第１ホールセンサが設けられた第１面と、当該第１面に対向し、前記モータに対応する外部機器の磁石の位置を検出するための第２ホールセンサが設けられた第２面とを含むホールプレート本体と、
前記ホールプレート本体の第１面に設けられ、かつ前記第２ホールセンサがある位置の対向領域を覆う遮断プレートと、を含むことを特徴とする干渉遮断可能なホールプレート。
【請求項２】
干渉遮断可能なホールプレートにおいて、
前記遮断プレートは、遮断プレート本体と当該遮断プレート本体に設けられた複数の溶接ピンとを含み、
前記ホールプレート本体には、前記溶接ピンに対応するバヨネットが設けられ、
前記溶接ピンは、前記バヨネットに係止されて溶接にてホールプレート本体に固定されることを特徴とする請求項１に記載の干渉遮断可能なホールプレート。
【請求項３】
干渉遮断可能なホールプレートにおいて、
前記ホールプレート本体は、円形であり、
前記遮断プレート本体は、円弧状でありかつ内縁が前記ホールプレート本体の中心孔の縁とは面一になることを特徴とする請求項２に記載の干渉遮断可能なホールプレート。
【請求項４】
干渉遮断可能なホールプレートにおいて、
前記ホールプレート本体の第１面には、前記ホールプレート本体の中心孔の縁に沿って均一に分布する３つの第１ホールセンサが設けられていることを特徴とする請求項３に記載の干渉遮断可能なホールプレート。
【請求項５】
干渉遮断可能なホールプレートにおいて、
３つの前記第１ホールセンサのうちの２つの前記第１ホールセンサが前記遮断プレート本体の両端部に近接することを特徴とする請求項４に記載の干渉遮断可能なホールプレート。
【請求項６】
干渉遮断可能なホールプレートにおいて、
前記ホールプレート本体の第２面には、前記ホールプレート本体の外周縁に沿って均一に分布する３つの第２ホールセンサが設けられていることを特徴とする請求項３に記載の干渉遮断可能なホールプレート。
【請求項７】
干渉遮断可能なホールプレートにおいて、
前記遮断プレート本体の両端部の縁に１つの前記溶接ピンがそれぞれ設けられ、その外縁に２つの前記溶接ピンが離間して設けられていることを特徴とする請求項３に記載の干渉遮断可能なホールプレート。
【請求項８】
干渉遮断可能なホールプレートにおいて、
前記遮断プレートと前記ホールプレート本体との連結縁は、粘着封止されていることを特徴とする請求項１に記載の干渉遮断可能なホールプレート。
【請求項９】
干渉遮断可能なホールプレートにおいて、
前記遮断プレートは、冷間圧延鋼板から打ち抜かれることを特徴とする請求項１に記載の干渉遮断可能なホールプレート。
【請求項１０】
干渉遮断可能なホールプレートにおいて、
前記遮断プレートの占める面積は、ホールプレート本体の第１面の面積の６０％以上であることを特徴とする請求項１〜９のいずれか１項に記載の干渉遮断可能なホールプレート。
【発明の詳細な説明】
【技術分野】
【０００１】
本発明は、ホールプレートに関し、具体的にはモータにおいて遮断構造を有するホールプレートに関する。
【背景技術】
【０００２】
現在、充電式電動ツール業界の大部分は、従来のブラシモータを動力源として使用する。従来のブラシモータは、効率が低く、寿命が短くかつ電磁干渉が大きいのに対して、新型のブラシレスモータは、効率が高く、寿命が長く、超高回転数で稼動可能でありかつ電磁干渉が小さい。したがって、モータおよび電子技術がますます発展することに伴い、ブラシレスモータは、徐々にブラシモータのかわりに使用され、モータ市場の主流製品になりつつある。
【０００３】
ブラシレスモータは、方向変換や、モータ本体の磁石位置を検出する機能を実現するために、デジタル値出力用のスイッチ型ホールセンサを用いて、モータ本体の磁石の特性を検知すると同時に、モータに対応する外部機器に対し磁石位置検出を行う。しかし、モータ本体の磁石は、モータに対応する外部機器の磁石位置を検出するためのホールセンサに影響を与えるほか、モータに対応する外部機器の磁石は、モータ本体の磁石位置検出用のホールセンサに影響を与え、ホールセンサの検出結果ミスをもたらし、使用者の使用に不便をもたらし、モータの正常稼動に影響を与える。
【０００４】
これに鑑みて、干渉遮断可能なホールプレートを提供して上記不備を解決する必要がある。
【発明の概要】
【発明が解決しようとする課題】
【０００５】
本発明は、解決しようとする技術課題として、モータ本体の磁石とモータに対応する外部機器の磁石とによるホールプレート上のホールセンサへの干渉を効果的に回避できる干渉遮断可能なホールプレートを提供することである。
【課題を解決するための手段】
【０００６】
上記目的を達成するために、本発明は、ホールプレート本体と遮断プレートとを含む干渉遮断可能なホールプレートを提供する。前記ホールプレート本体は、第１面と、当該第１面に対向する第２面とを含む。前記第１面には、モータ本体の磁石の位置を検出するための第１ホールセンサが設けられている。前記第２面には、前記モータに対応する外部機器の磁石の位置を検出するための第２ホールセンサが設けられている。前記遮断プレートは、前記ホールプレート本体の第１面に設けられ、かつ前記第２ホールセンサがある位置の対向領域を覆う。
【０００７】
ここで、前記第２ホールセンサは、使用者の使用便利さおよびモータの方向変換実施のために、モータに対応する外部機器の磁石の特性や位置を検知する。前記遮断プレートは、前記第１ホールセンサと第２ホールセンサとの両方を外部の干渉から遮断することができる。永久磁石であるモータ本体の回転子がモータ本体の磁石であり、第２ホールセンサに対し干渉が存在し、かつモータ本体の磁石の位置が一定である。そのため、前記遮断プレートを前記第２ホールセンサがある位置の対向領域に設けることによって、モータ本体の磁石による前記第２ホールセンサへの干渉をより効果的に遮断することができ、使用者が便利に使用できる。
【０００８】
さらに、技術手段として、前記遮断プレートは、遮断プレート本体と当該遮断プレート本体に設けられた複数の溶接ピンとを含む。前記ホールプレート本体には、前記溶接ピンに対応するバヨネットが設けられている。前記溶接ピンは、前記バヨネットに係止されて溶接にてホールプレート本体に固定される。ここで、カバープレートで遮断体を構成する際に、磁気の連続性の保持が必要とされるが、溶接によって遮断体の磁気連続性を保持することができ、しかも表面間の連続性を維持することによって磁力線が連続的に低リラクタンスパスに沿って進むことを保証することができ、遮断効果の向上に有利である。
【０００９】
さらに、技術手段として、前記ホールプレート本体は、円形であり、前記遮断プレート本体は、円弧状でありかつ内縁が前記ホールプレート本体の中心孔の縁とは面一になる。
【００１０】
さらに、技術手段として、前記ホールプレート本体の第１面には、前記ホールプレート本体の中心孔の縁に沿って均一に分布する３つの第１ホールセンサが設けられている。
【００１１】
さらに、技術手段として、そのうちの２つの前記第１ホールセンサが前記遮断プレート本体の両端部に近接する。
【００１２】
さらに、技術手段として、前記ホールプレート本体の第２面には、前記ホールプレート本体の外周縁に沿って均一に分布する３つの第２ホールセンサが設けられている。
【００１３】
さらに、技術手段として、前記遮断プレートは、４つの溶接ピンを有し、前記遮断プレート本体の両端部の縁に１つの前記溶接ピンがそれぞれ設けられ、その外縁に２つの前記溶接ピンが離間して設けられている。４つの溶接ピンを設けることによれば、前記遮断プレートとホールプレート本体との連結をさらに固定することに有利であり、しかも溶接ピンの過多設置により生産コスト増加を避ける。
【００１４】
さらに、技術手段として、前記遮断プレートと前記ホールプレート本体との連結縁は、粘着封止される。連結縁の粘着封止によれば、エアギャップの減少に有利であり、遮断プレートとホールプレート本体との連結箇所をより密接させ、遮断効果を向上させる。
【００１５】
さらに、技術手段として、前記遮断プレートは、冷間圧延鋼板から打ち抜かれる。冷間圧延鋼板は、磁気性能が優れ、同時に良好な打ち抜き特性を有し、加工しやすく、コストが低い。
【００１６】
さらに、技術手段として、前記遮断プレートの占める面積は、ホールプレート本体の第１面の面積の６０％以上である。
【発明の効果】
【００１７】
本発明による干渉遮断可能なホールプレートは、ホールプレート本体に遮断プレートを設けるとともに、遮断プレートの位置について、モータ本体の磁石の位置を検出するための第１ホールセンサとは同一側に位置しかつ前記第２ホールセンサがある位置の対向領域を覆うように特殊な設計をすることによって、モータ本体の磁石による第２ホールセンサへの干渉およびモータに対応する外部機器の磁石による第１ホールセンサへの干渉の影響を効果的に遮断することができ、モータを正常に稼動させ、使用者に便利に使用させる。
【００１８】
本発明は、本発明の実施例を説明するために用いられる添付図面と併せて以下の記載から明らかになる。
【図面の簡単な説明】
【００１９】
【図１】本発明の干渉遮断可能なホールプレートの一実施例の構造概略図である。
【図２】図１に示す干渉遮断可能なホールプレートの遮断プレートの構造概略図である。
【図３】図１に示す干渉遮断可能なホールプレートの背面構造概略図である。
【発明を実施するための形態】
【００２０】
以下、本発明の実施例の添付図面に関連して、実施例における技術手段を明確且つ完全に記載するが、図面における類似な要素番号で類似要素を示す。明らかに、以下に記載される実施例は、単に本発明の実施例の一部であり、すべての実施例ではない。本発明の実施例に基づき、当業者が創造性のある作業を行わずに得た他の全ての実施例は、いずれも本発明の範囲内に属するものである。
【００２１】
図１を参照すると、本発明の干渉遮断可能なホールプレート１００は、ホールプレート本体２０と、遮断プレート１０とを含む。前記ホールプレート本体２０は、第１面２０１と、当該第１面２０１に対向する第２面２０２とを含む。前記第１面２０１には、モータ本体の磁石の位置を検出するための第１ホールセンサ２１０が設けられている。前記第２面２０２には、前記モータに対応する外部機器の磁石の位置を検出するための第２ホールセンサ２２０が設けられている。前記遮断プレート１０は、前記ホールプレート本体２０の第１面２０１に設けられ、かつ前記第２ホールセンサ２２０がある位置の対向領域を覆う。
【００２２】
ここで、前記第２ホールセンサ２２０は、使用者の使用便利さおよびモータに対する方向変換実施のために、モータに対応する外部機器の磁石の特性や位置を検知する。前記遮断プレート１０は、前記第１ホールセンサ２１０と第２ホールセンサ２２０との両方を外部の干渉から遮断することができる。永久磁石であるモータ本体の回転子がモータ本体の磁石であり、第２ホールセンサ２２０に対し干渉が存在し、かつモータ本体の磁石の位置が一定である。そのため、前記遮断プレート１０を前記第２ホールセンサ２２０がある位置の対向領域に設けることによって、モータ本体の磁石による前記第２ホールセンサ２２０への干渉をより効果的に遮断することができ、使用者が便利に使用できる。
【００２３】
図２に関連すると、一部の実施例では、例えば本実施例において、本実施例の遮断プレート１０は、遮断プレート本体１１０と当該遮断プレート本体１１０に設けられた４つの溶接ピン１１１とを含む。前記ホールプレート本体２０には、前記溶接ピン１１１に対応するバヨネットが設けられている。前記溶接ピン１１１は、前記バヨネットに係止されて溶接にてホールプレート本体２０に固定される。
【００２４】
ここで、４つの溶接ピン１１１を設けることによれば、前記遮断プレート１０とホールプレート本体２０との連結をさらに固定することに有利であり、しかも溶接ピン１１１の過多設置による生産コスト増加を避ける。同時に、カバープレートで遮断体を構成する際に、磁気の連続性の保持が必要とされるが、溶接によって遮断体の磁気連続性を保持することができ、しかも表面間の連続性を維持することによって磁力線が連続的に低リラクタンスパスに沿って進むことを保証することができ、遮断効果の向上に有利である。
【００２５】
図１を参照し、一部の実施例では、例えば本実施例において、前記ホールプレート本体２０は、円形であり、前記遮断プレート本体１１０は、円弧状でありかつ内縁が前記ホールプレート本体２０の中心孔の縁とは面一になる。
【００２６】
一部の実施例では、例えば本実施例において、前記ホールプレート本体２０の第１面２０１には、前記ホールプレート本体２０の中心孔の縁に沿って均一に分布する３つの第１ホールセンサ２１０が設けられている。そのうちの２つの前記第１ホールセンサ２１０が前記遮断プレート本体１１０の両端部に近接する。
【００２７】
図３を参照し、一部の実施例では、例えば本実施例において、前記ホールプレート本体２０の第２面２０２には、前記ホールプレート本体２０の外周縁に沿って均一に分布する３つの第２ホールセンサ２２０が設けられている。
【００２８】
図１および図２に関連して、一部の実施例では、例えば本実施例において、前記遮断プレート本体１１０の両端部の縁に１つの前記溶接ピン１１１がそれぞれ設けられ、その外縁に２つの前記溶接ピン１１１が離間して設けられている。
【００２９】
一部の実施例では、例えば本実施例において、前記遮断プレート１０と前記ホールプレート本体２０との連結縁は、粘着封止される。連結縁の粘着封止によれば、両者の間のエアギャップの減少に有利であり、遮断プレート１０とホールプレート本体２０との連結箇所をより密接させ、より効果的な遮断効果を達成する。
【００３０】
一部の実施例では、例えば本実施例において、前記遮断プレート１０は、冷間圧延鋼板から打ち抜かれる。冷間圧延鋼板は、磁気性能が優れ、同時に良好な打ち抜き特性を有し、加工しやすく、コストが低い。
【００３１】
一部の実施例では、例えば本実施例において、前記遮断プレート１０の占める面積は、ホールプレート本体２０の第１面２０１の面積の６０％以上である。このような設置によって、遮断効果の向上に有利であり、徹底的に遮断できる。
【００３２】
以上の記載をまとめると、本発明による干渉遮断可能なホールプレートは、ホールプレート本体に遮断プレートを設けるとともに、遮断プレートの位置について、モータ本体の磁石の位置を検出するための第１ホールセンサとは同一側に位置しかつモータに対応する外部機器の磁石の位置を検出するための第２ホールセンサがある位置の対向領域を覆うように特殊な設計をすることによって、モータ本体の磁石による第２ホールセンサへの干渉および使用者の磁石使用による第１ホールセンサへの干渉の影響を効果的に遮断することができ、モータを正常に稼動させ、使用者に便利に使用させる。
【００３３】
以上、最適な実施例を挙げて本発明を記載したが、本発明は、上述した実施例に限定されるものではなく、本発明の趣旨に基づいて行われた補正や均等物を含むべきである。
【００３４】
（付記）
（付記１）
モータ本体の磁石の位置を検出するための第１ホールセンサが設けられた第１面と、当該第１面に対向し、前記モータに対応する外部機器の磁石の位置を検出するための第２ホールセンサが設けられた第２面とを含むホールプレート本体と、
前記ホールプレート本体の第１面に設けられ、かつ前記第２ホールセンサがある位置の対向領域を覆う遮断プレートと、を含むことを特徴とする干渉遮断可能なホールプレート。  
【００３５】
（付記２）
干渉遮断可能なホールプレートにおいて、
前記遮断プレートは、遮断プレート本体と当該遮断プレート本体に設けられた複数の溶接ピンとを含み、
前記ホールプレート本体には、前記溶接ピンに対応するバヨネットが設けられ、
前記溶接ピンは、前記バヨネットに係止されて溶接にてホールプレート本体に固定されることを特徴とする付記１に記載の干渉遮断可能なホールプレート。
【００３６】
（付記３）
干渉遮断可能なホールプレートにおいて、
前記ホールプレート本体は、円形であり、
前記遮断プレート本体は、円弧状でありかつ内縁が前記ホールプレート本体の中心孔の縁とは面一になることを特徴とする付記２に記載の干渉遮断可能なホールプレート。
【００３７】
（付記４）
干渉遮断可能なホールプレートにおいて、
前記ホールプレート本体の第１面には、前記ホールプレート本体の中心孔の縁に沿って均一に分布する３つの第１ホールセンサが設けられていることを特徴とする付記３に記載の干渉遮断可能なホールプレート。
【００３８】
（付記５）
干渉遮断可能なホールプレートにおいて、
３つの前記第１ホールセンサのうちの２つの前記第１ホールセンサが前記遮断プレート本体の両端部に近接することを特徴とする付記４に記載の干渉遮断可能なホールプレート。
【００３９】
（付記６）
干渉遮断可能なホールプレートにおいて、
前記ホールプレート本体の第２面には、前記ホールプレート本体の外周縁に沿って均一に分布する３つの第２ホールセンサが設けられていることを特徴とする付記３に記載の干渉遮断可能なホールプレート。
【００４０】
（付記７）
干渉遮断可能なホールプレートにおいて、
前記遮断プレート本体の両端部の縁に１つの前記溶接ピンがそれぞれ設けられ、その外縁に２つの前記溶接ピンが離間して設けられていることを特徴とする付記３に記載の干渉遮断可能なホールプレート。
【００４１】
（付記８）
干渉遮断可能なホールプレートにおいて、
前記遮断プレートと前記ホールプレート本体との連結縁は、粘着封止されていることを特徴とする付記１に記載の干渉遮断可能なホールプレート。
【００４２】
（付記９）
干渉遮断可能なホールプレートにおいて、
前記遮断プレートは、冷間圧延鋼板から打ち抜かれることを特徴とする付記１に記載の干渉遮断可能なホールプレート。
【００４３】
（付記１０）
干渉遮断可能なホールプレートにおいて、
前記遮断プレートの占める面積は、ホールプレート本体の第１面の面積の６０％以上であることを特徴とする付記１〜９のいずれか１項に記載の干渉遮断可能なホールプレート。
【図１】
2019505154.tif 000003
【図２】
2019505154.tif 000004
【図３】
2019505154.tif 000005
【国際調査報告】
2019505154.tif 000006
2019505154.tif 000007
2019505154.tif 000008
2019505154.tif 000009